(57)【要約】【課題】本発明の実施形態は、利用者の利便性が向上するエレベータの表示装置を提供することを目的とする。【解決手段】本発明の実施形態に係るエレベータの表示装置は、乗場の状況を撮影するカメラ１１と、カメラ１１と接続され、カメラ１１からの映像信号から乗場にいるエレベータ利用者までの距離を検出する映像処理部７と、映像処理部７からの信号に基づいて情報を表示する表示部９と、表示部９に表示させるレイアウトの１つである第１の表示レイアウトと、表示部９に表示させるレイアウトの１つであり第１の表示レイアウトとは異なるレイアウトである第２のレイアウトとを備える。【選択図】図１
2013142026.tif 000002
【特許請求の範囲】
【請求項１】
乗場の状況を撮影するカメラと、
前記カメラと接続され、カメラからの映像信号から乗場にいるエレベータ利用者までの距離を検出する映像処理部と、
前記映像処理部からの信号に基づいて情報を表示する表示部と、
前記表示部に表示させるレイアウトの１つである第１の表示レイアウトと、
前記表示部に表示させるレイアウトの１つであり前記第１の表示レイアウトとは異なるレイアウトである第２のレイアウトと、
を備え、
前記表示部は、前記映像処理部によって検出された前記カメラと利用者との距離に対応して前記第１のレイアウトと前記第２のレイアウトとを切り替えて表示することを特徴とする表示装置。
【請求項２】
前記映像処理部は、検出した距離が所定値に到達した場合に前記第１の表示レイアウト若しくは前記第２の表示レイアウトの表示の一部を拡大することを特徴とする請求項１に記載の表示装置。
【請求項３】
前記カメラによって検出される利用者の位置によって、前記第１のレイアウト若しくは前記第２のレイアウトの拡大部分を変更することを特徴とする請求項２に記載の表示装置。
【請求項４】
前記乗場に設置される車椅子利用者登録ボタンからの入力信号及び乗りかご内への利用者の乗込みを検出する荷重信号を受信した場合に、乗りかご内の表示装置のレイアウトを前記第１のレイアウトから前記第２のレイアウトに切り替えることを特徴とする請求項１に記載の表示装置。
【発明の詳細な説明】
【技術分野】
【０００１】
本発明の実施形態は、利用者の利便性が向上するエレベータの表示装置に関する。
【背景技術】
【０００２】
各階の乗場には、エレベータの運行状態等を表示したり利用者が呼び登録等の操作を行うための表示装置が設置されている。エレベータの利用者には健常者だけでなく、弱視者等の障害をもつ者もいる。そのため、表示装置の表示内容はユニバーサルデザインを考慮して、コントラストをはっきりさせたりシンプルな表示にしたりしている。
【０００３】
しかし、ユニバーサルデザインを重視しすぎると、表示内容が単調になりデザイン性が損なわれることにもなる。
【０００４】
そこで近年では、通常の表示装置の他に障害者対応表示装置も設置されており、それぞれが自分の意思で操作しやすい表示装置を選択して操作することが可能となっている。
【先行技術文献】
【特許文献】
【０００５】
【特許文献１】特開２００９−５７１８１号公報
【発明の概要】
【発明が解決しようとする課題】
【０００６】
しかしながら、上記のように通常の表示装置と障害者対応表示装置の両方を設置していた場合であっても、弱視者等の障害を持つ者は、障害者対応表示装置の存在に気づかず、自らの近くのある通常の表示装置を操作してしまうことがある。この場合、表示装置の表示内容が見づらかったり、操作しにくかったりなどの問題が生じる。
【０００７】
そこで、本発明の実施形態に係る表示装置は、健常者であっても弱視者等の障害を持つ者であっても同一の表示装置で操作することのできる表示装置を提供することを目的とする。
【課題を解決するための手段】
【０００８】
上記目的を達成するために、本発明の実施形態に係る表示装置は、乗場の状況を撮影するカメラと、前記カメラと接続され、カメラからの映像信号から乗場にいるエレベータ利用者までの距離を検出する映像処理部と、前記映像処理部からの信号に基づいて情報を表示する表示部と、前記表示部に表示させるレイアウトの１つである第１の表示レイアウトと、前記表示部に表示させるレイアウトの１つであり前記第１の表示レイアウトとは異なるレイアウトである第２のレイアウトと、を備え、前記表示部は、前記映像処理部によって検出された前記カメラと利用者との距離に対応して前記第１のレイアウトと前記第２のレイアウトとを切り替えて表示することを特徴とする。
【図面の簡単な説明】
【０００９】
【図１】本発明の第１の実施形態に係る表示装置の構成を示す模式図である。
【図２】本発明の第１の実施形態に係る表示装置の通常時の表示部を示す模式図である。
【図３】本発明の第１の実施形態に係る表示装置の障害者対応時の表示部を示す模式図である。
【図４】本発明の第１の実施形態に係る表示切替制御を示すフローチャートである。
【図５】本発明の第２の実施形態に係る表示装置の構成を示す模式図である。
【図６】本発明の第２の実施形態に係る表示切替制御を示すフローチャートである。
【発明を実施するための形態】
【００１０】
以下、本発明の実施形態について図面を参照して説明する。
【００１１】
（第１の実施形態）
図１は本発明の第１の実施形態に係る表示装置の構成を示す模式図である。図２は本発明の第１の実施形態に係る表示装置の通常時の表示部を示す模式図である。図３は本発明の第１の実施形態に係る表示装置の障害者対応時の表示部を示す模式図である。図４は本発明の第１の実施形態に係る表示切替制御を示すフローチャートである。
【００１２】
図１を用いて第１の実施形態に係る表示装置の構成を説明する。図１に示すように、乗りかご１とカウンタウェイト２はロープ３を介して巻上機４によって図示しない昇降路内を昇降している。巻上機４には、乗りかご１を昇降させる巻上機４を制御するエレベータ制御装置５が接続されている。エレベータ制御装置５は巻上機４に対して制御指令を出力している。
【００１３】
エレベータ制御装置５は、各階の乗場に設置される表示装置６と接続されており、表示装置６の表示部に表示される情報等を制御している。
【００１４】
表示装置６内には、エレベータ制御装置５に接続され制御信号を送受信する映像処理部７が備えられている。また、表示装置６はフラットパネルディスプレイ８と、フラットパネルディスプレイ８に取り付けられる表示部９、表示部９の表面に適用されるタッチセンサ１０を備えている。また、フラットパネルディスプレイ８には乗場の状況を撮影するカメラ１１が取り付けられている。タッチセンサ１０からの入力信号とカメラ１１からの映像信号は映像処理部７に入力される。映像処理部７は、これらの入力信号と映像信号から表示部９に表示させる表示信号を生成し、表示部９に出力する。
【００１５】
以上のような構成により、表示装置６の表示部９にはエレベータの運行情報や、乗場等にいる利用者からのタッチセンサ入力に基づく情報を表示している。そして、本実施形態に係る表示装置６は、通常の運転時に表示される通常表示と、弱視者等の障害を持つ者が利用する際に表示されるユニバーサルデザイン表示とを切り替える制御を行う。
【００１６】
ここで本実施形態に係る表示装置６の通常表示とユニバーサルデザイン表示について説明する。
【００１７】
まず、通常の運転時に表示部９に表示される通常表示について説明する。図２に示すように、例えば表示部９はいくつかの表示エリアに区切って、それぞれ必要な情報を表示している。表示エリアＡには現在のエレベータの走行方向を示す方向表示１２、現在のエレベータの走行位置若しくは停止位置を示す階床表示１３が表示される。
【００１８】
表示エリアＢには、本表示装置がかご内表示装置である場合、もしくは乗場行先階登録装置である場合には、行先階登録ボタン１４が表示される。なお、本表示装置が単なる乗場表示装置である場合には、ＵＰ方向またはＤＯＷＮ方向の乗場呼び登録ボタンが表示される。表示エリアＢはタッチセンサ１０によるセンサ機能が発揮されるエリアである。
【００１９】
表示エリアＣには、少なくとも１階床以上の次停止予定階床を表示する次停止階表示１５が表示される。表示エリアＤには、次停止階の情報である次停止階情報表示１６が表示される。
【００２０】
以上のような情報が、通常の運転時には表示される。この通常表示の場合、方向表示１２や、階床表示１３、次停止階情報表示１６を動的な映像を用いて走行方向を把握しやすくするなどアニメーション表示とする。また、行先階登録ボタン１４ではタッチセンサ１０の機能により選択された階床を特定し、その選択階床を点灯させるなどデザイン性を兼ねて表示部９の表示変化を行う。
【００２１】
次に弱視者等の障害を持つ者が利用する際に表示部９に表示されるユニバーサルデザイン表示について説明する。図３に示すように、例えば表示部９はいくつかの表示エリアに区切って、それぞれ必要な情報を表示している。表示エリアＡには、現在のエレベータの走行方向を示す方向表示１７、現在のエレベータの走行位置若しくは停止位置を示す階床表示１８が表示される。
【００２２】
表示エリアＢには、本表示装置がかご内表示装置である場合、もしくは乗場行先階登録装置である場合には、行先階登録ボタン２０が表示される。なお、本表示装置が単なる乗場表示装置である場合には、ＵＰ方向またはＤＯＷＮ方向の乗場呼び登録ボタンが表示される。表示エリアＢはタッチセンサ１０によるセンサ機能が発揮されるエリアである。
【００２３】
表示エリアＣには、弱視者等の障害を持つ者に操作を促すための案内表示１９が表示される。この案内表示１９は、利用者がどのような操作をすべきかを示す案内を表示する。例えば、本表示装置がかご内表示装置もしくは乗場行先階登録装置である場合には、「行先階を選択してください」等の表示を行う。
【００２４】
以上のような情報が、弱視者等の障害を持つ者が利用する際に表示される。このユニバーサル表示の場合、表示エリアの区切りを通常表示の場合に比べて少なくしている。つまり、上述した通常表示の場合と異なり、方向表示１７や階床表示１８、行先階登録ボタン２０について、表示内容を大きく表示させアニメーション表示等の動的な表示は排除し、もしくは最小限に抑え、デザイン性よりも、見易さ、わかりやすさを優先した表示とする。
【００２５】
次に図４のフローチャートを用いて、映像処理部７による、通常表示とユニバーサル表示との切替制御について説明する。
【００２６】
映像処理部７は映像処理部７に接続されているカメラ１１からの映像信号に基づいて切替制御を行う。まず、映像処理部７はカメラ１１から映像信号を受信し、カメラ映像解析処理を行う（Ｓ１）。解析された映像から、乗場にエレベータ方向を向いている利用者がいるか否かの判断を行う（Ｓ２）。乗場にエレベータを利用しようとしている利用者がいないと判断した場合（Ｓ２のＮＯ）、ステップ１（Ｓ１）に戻り、カメラ映像解析処理を行う。一方、解析された映像から乗場にエレベータの方向を向いている利用者がいると判断した場合、すなわちエレベータを利用しようとしている利用者がいると判断した場合（Ｓ２のＹＥＳ）、表示部９の液晶バックライトをＯＮ、輝度ＵＰ処理を行う（Ｓ３）。一方、利用者がいないと判断された場合は、液晶バックライトや発光輝度はＯＦＦまたは最小限に絞られている。
【００２７】
次に、映像処理部７はカメラ１１からの映像信号に基づいて顔検出処理を行う（Ｓ４）。顔検出処理とは、カメラ映像から人の顔の輪郭や目、鼻などの位置を把握し、人の顔として検出し判断する処理である。
【００２８】
顔検出処理によって顔が判断された後、顔検出を利用して、エレベータ利用者が本表示装置にどれだけ近づいたかを検出する。具体的には検出された顔が一定距離だけ近づいたか否かを判断する（Ｓ５）。一定距離だけ近づいたと判断された場合（Ｓ５のＹＥＳ）、表示装置の表示パターンの切替処理が行われる（Ｓ６）。すなわち、フラットパネルディスプレイ８の表示内容が上述の通常表示からユニバーサルデザイン表示に切り替わる。
【００２９】
このような表示パターンの切替処理は、フラットパネルディスプレイ８に設置されたカメラ１１から利用者の顔までの距離を検出している中で、一定距離以上顔を近づけた場合、利用者が弱視者などである可能性が高いと判断し、図２に示すような通常表示の表示画面よりも、文字サイズ拡大やアニメーションを行わない図３のユニバーサルデザイン表示の表示画面のほうが利用しやすいと判断するためである。
【００３０】
表示パターンを切り替えた後、利用者は上記の一定距離よりもさらに顔を近づけたか否かを判断する（Ｓ７）。上記の一定距離よりもさらに顔を近づけたと判断した場合（Ｓ７のＹＥＳ）、ユニバーサルデザイン表示の画面表示をさらに拡大して表示する画面表示拡大処理を行う（Ｓ８）。画面表示拡大処理は図３に示すユニバーサルデザイン表示の一部を拡大表示するものである。これは、上記の一定距離よりもさらに顔を近づけた場合に、顔の検出位置に追従して画面表示の一部を拡大処理するものである。例えば、利用者が行先階登録ボタン付近に顔を近づけたと判断した場合、行先階登録ボタン（エリアＢ）部分の拡大表示行う。画面表示拡大処理を行った後は、ステップ７（Ｓ７）に戻る。
【００３１】
一方、表示パターンを切り替えた後、利用者は上記の一定距離よりさらに顔を近づけたとは判断されない場合（Ｓ７のＮＯ）、利用者がカメラ１１から一定距離だけ顔を遠ざけたか否かを判定する（Ｓ９）。利用者がカメラ１１から一定距離だけ顔を遠ざけていないと判断した場合（Ｓ９のＮＯ）、ステップ７（Ｓ７）に戻り、ユニバーサルデザイン表示を継続するとともに、画面表示拡大処理を行うか否かの判断を繰り返す。
【００３２】
一方、利用者がカメラ１１から一定距離だけ顔を遠ざけたと判断した場合、利用者は目的の操作を完了したと判断し、通常表示に表示方法を切り替える（Ｓ１０）。これは、その他の利用者に対しても、エレベータの状態を表示したり、行先階登録ボタン等としての機能を提供する必要があるため、通常表示に切り替えを行う。
【００３３】
以上のようにして、本発明の第１の実施形態によればエレベータの利用者に応じた適切な表示内容に切り替えることができ、障害者専用の表示装置を別個に設けることなく、どの表示装置であっても見やすい、使いやすい表示を行うことができる。
【００３４】
（第２の実施形態）
次に第２の実施形態について説明する。図５は本発明の第２の実施形態に係る表示装置の構成を示す模式図である。図６は本発明の第２の実施形態に係る表示切替制御を示すフローチャートである。
【００３５】
本実施形態に係る表示装置は、乗場に設置される車椅子利用者登録ボタンの操作があった後に乗りかごに利用者が乗り込んだ場合に、かご内の表示装置の表示パターンの切り替えを行うものである。以下、図５及び図６を用いて具体的に説明する。
【００３６】
まず、エレベータ制御装置５は、乗場に設置される車椅子利用者登録ボタン２１が操作されたか否かを判断する（Ｓ２１）。エレベータ制御装置５は、車椅子利用者登録ボタン２１が操作されていないと判断した場合（Ｓ２１のＮＯ）、フラットパネルディスプレイ８の表示内容をユニバーサルデザイン表示とすることなく、通常表示を継続したまま処理を終了する（Ｓ２６）。
【００３７】
一方、エレベータ制御装置５は車椅子利用者登録ボタン２１が操作されたと判断した場合（Ｓ２１のＹＥＳ）、登録階に乗りかごが到着し、乗りかごに利用者が乗り込んだか否かを判断する（Ｓ２２）。車椅子利用者登録ボタン２１を操作後、乗りかごに利用者が乗り込んでいないと判断した場合（Ｓ２２のＮＯ）、フラットパネルディスプレイ８の表示内容をユニバーサルデザイン表示とすることなく、通常表示を継続したまま処理を終了する（Ｓ２６）。
【００３８】
それに対して、車椅子利用者登録ボタン２１を操作後、乗りかごに利用者が乗り込んだと判断した場合（Ｓ２２のＹＥＳ）、表示装置の表示パターンを通常表示からユニバーサルデザイン表示に表示切替を行う（Ｓ２３）。そして、乗り込んだ利用者がかご内行先階登録装置により登録する目的階を検出する（Ｓ２４）。また、エレベータ制御装置５は乗りかごが目的階に到着したか否かを判断する（Ｓ２５）。目的階に到着していない場合は（Ｓ２５のＮＯ）、表示装置の表示パターンをユニバーサルデザイン表示のまま継続する。
【００３９】
一方、目的階に到着した場合（Ｓ２５のＹＥＳ）、表示装置の表示内容をユニバーサルデザイン表示から通常表示に切り替える（Ｓ２７）。
【００４０】
以上のようにして、乗場に設置される車椅子利用者登録ボタン２１の操作の有無により、かご内表示装置の表示切替を行うことで、乗りかご１内に乗り込んだ際に既に表示装置の表示内容が切り替わっていることから、表示内容がより見やすくなり、また操作もしやすくなる。
【符号の説明】
【００４１】
１…乗りかご
２…カウンタウェイト
３…ロープ
４…巻上機
５…エレベータ制御装置
６…表示装置
７…映像処理部
８…フラットパネルディスプレイ
９…表示部
１０…タッチセンサ
１１…カメラ
１２，１７…方向表示
１３，１８…階床表示
１４，２０…行先階登録ボタン
１５…次停止階表示
１６…次停止階情報表示
１９…案内表示
２１…車椅子利用者登録ボタン
【図１】
2013142026.tif 000003
【図２】
2013142026.tif 000004
【図３】
2013142026.tif 000005
【図４】
2013142026.tif 000006
【図５】
2013142026.tif 000007
【図６】
2013142026.tif 000008